(57)【要約】【目的】本発明は、木製よりも耐久性が高く、コンクリート打設後の型枠脱型が不要で、そのまま埋め殺しにでき、柱の敷設現場で型枠を形成することができるため運搬を容易にし、安全かつコストを安価にすることができるコンクリート製基礎用埋め殺し型枠及びコンクリート製基礎用埋め殺し型枠を用いた柱の敷設方法を提供することを目的とする。【構成】本発明によるコンクリート製基礎用埋め殺し型枠及びコンクリート製基礎用埋め殺し型枠を用いた柱の敷設方法は、第１枠体と第２枠体との積み重ねを２段以上の複数段とし、突き合わせ接続箇所を略９０度ずらして積み重ね、突き合わされた各々の型枠ユニットのコ字状両先端部側面に設けられた接続ボルト用孔同士を、先端部が枠体の外側に突出するようコ字状接続ボルトを嵌め込んで接続し、形成されたことを特徴とする。【選択図】              図５
2015045140.tif 000002
【特許請求の範囲】
【請求項１】
水平面とされた敷設箇所に角筒状に立設される基礎用型枠であり、
該基礎用型枠は、略長方形状をなすコンクリート基板と、該コンクリート基板の両端側から略直角方向に折曲したコンクリート側板とを有して略コ字状に形成された一対の型枠ユニットを有してなり、該一対の型枠ユニットにつき、コ字状の先端部を各々突き合わせ接続して略正方形状の第1枠体を形成し、
前記第1枠体の上部には、該第1枠体と同様に構成された第２枠体を積み重ね、
前記第１枠体と第２枠体とにより角筒状をなす埋め殺し基礎用型枠を形成した、  
ことを特徴とするコンクリート製基礎用埋め殺し型枠。
【請求項２】
前記枠体の積み重ねは、２段以上の複数段とする、
ことを特徴とする請求項１記載のコンクリート製基礎用埋め殺し型枠。
【請求項３】
前記枠体の積み重ねは、枠体の接続部分が重ならないよう、前記突き合わせ接続箇所を略９０度ずらして積み重ねた、
ことを特徴とする請求項１または請求項２記載のコンクリート製基礎用埋め殺し型枠。
【請求項４】
あらかじめ製造された、長方形状をなすコンクリート基板と、該コンクリート基板の両端側から略直角方向に折曲したコンクリート側板とを有して略コ字状に形成された型枠ユニット複数個を、柱の敷設現場に運搬し、
前記敷設現場における水平面とされた敷設箇所に、前記型枠ユニットを一対にしてコ字状の先端部を各々突き合わせ接続して略正方形状の第1枠体を形成し、
前記第1枠体の上部には、該第1枠体と同様に構成された第２枠体を積み重ねて、前記第１枠体と第２枠体とにより角筒状をなすコンクリート製基礎用埋め殺し型枠を形成し、
前記埋め殺し基礎用型枠内に、土留め用スパイラルダクトを入れるための掘削を行い、該土留め用スパイラルダクト用の掘削孔に土留め用スパイラルダクトを設置し、次いで内枠用スパイラルダクトを入れるための掘削を前記土留め用スパイラルダクトの掘削位置よりさらに下方方向へ、前記土留め用スパイラルダクトの掘削径よりも小径の掘削を行い、該内枠用スパイラルダクト用の掘削孔に内枠用スパイラルダクトを設置し、
生コンクリートを打設後、柱を健植して、前記内枠用スパイラルダクト、前記土留め用スパイラルダクト及び前記コンクリート製基礎用埋め殺し型枠を埋め殺した、
ことを特徴するコンクリート製基礎用埋め殺し型枠を用いた柱の敷設方法。
【請求項５】
前記枠体の積み重ねは、２段以上の複数段とする、
ことを特徴する請求項４記載のコンクリート製基礎用埋め殺し型枠を用いた柱の敷設方法。
【請求項６】
前記枠体の積み重ねは、枠体の接続部分が重ならないよう、前記突き合わせ接続箇所を略９０度ずらして積み重ねた、
ことを特徴する請求項４または請求項５記載のコンクリート製基礎用埋め殺し型枠を用いた柱の敷設方法。
【請求項７】
前記枠体の形成は、
突き合わされた各々の型枠ユニットのコ字状両先端部側面に設けられた接続ボルト用孔同士を、コ字状接続ボルトを嵌め込んで接続し、形成した、
ことを特徴とする請求項４、請求項５または請求項６記載のコンクリート製基礎用埋め殺し型枠を用いた柱の敷設方法。
【請求項８】
前記コ字状接続ボルトは、先端部が前記枠体の外側に突出するよう嵌め込まれた、
ことを特徴とする請求項４、請求項５、請求項６または請求項７記載のコンクリート製基礎用埋め殺し型枠を用いた柱の敷設方法。
【請求項９】
前記枠体の積み重ねは、下に位置する枠体と上に位置する枠体の中央境目部分に、下に位置する枠体と上に位置する枠体とを固定する断面がH状の長方形状接続金具を設け、前記枠体同士のズレを防止した、
ことを特徴とする請求項４、請求項５、請求項６、請求項７または請求項８記載のコンクリート製基礎用埋め殺し型枠を用いた柱の敷設方法。
【請求項１０】
前記型枠ユニットにおける両コンクリート側板の前記コンクリート基板側には、複数箇所において運搬治具接続孔が設けられており、
前記枠体の形成は、前記両コンクリート側板の運搬治具接続孔に、コ字状運搬治具を嵌め込んで、人力で枠体ユニットを運搬して形成された、
ことを特徴とする請求項４、請求項５、請求項６、請求項７、請求項８または請求項９記載のコンクリート製基礎用埋め殺し型枠を用いた柱の敷設方法。
【発明の詳細な説明】
【技術分野】
【０００１】
本発明は、例えば電柱等の柱の基礎を掘削する際に必要とされる、コンクリート製基礎用埋め殺し型枠、及び該コンクリート製基礎用埋め殺し型枠を用いた柱の敷設方法に関するものである。
【背景技術】
【０００２】
鉄道の電化工事を行う際には、多数の箇所において電柱の新設が行われる。鉄道の電化工事は工期が長く、電柱基礎形成のための地中掘削から、該掘削箇所へのコンクリートの打設、そして電柱建植までの間が、長期にわたり電柱の敷設状態が継続する。
【０００３】
そこで、長期間にわたる電柱の敷設状態継続の安全性を確保するため、基礎形成のための地中掘削に際し、掘削箇所周囲に土留めの役割を果たす型枠が設置される。
【０００４】
従来の基礎の施工では、掘削施工時の盛土の崩れ防止のため、合成ラワン材や正滑材で作成した木製の型枠により土留を行い、例えば、地表から通常５００ｍｍ程度掘削した後、約W（横）1,400mm×L（縦）1,400mm×H（高さ）400mmの寸法で基礎形成のためのつば部となる凹部を掘削し、その後、土留め用スパイラルダクトを用いて基礎穴を掘削してスパイラルダクトを挿入した後、生コンクリートを打設して電柱建殖のための基礎を完成させていた。
【０００５】
しかしながら、掘削からコンクリート打設までの電柱の敷設状態が継続して長引くほど、従来の木製の型枠では耐久性の面で不安があり、また、コンクリート打設後には木製型枠を脱型する必要があり、手間がかかる。
【０００６】
そこで、本発明では、従来の木製の型枠に代えて、木製よりも耐久性が高く、もって工事の安全性に優れ、また、コンクリート打設後の型枠脱型が不要でそのまま埋め殺しにできるコンクリート製の型枠を採用することとした。
【０００７】
なお、コンクリート製の基礎用型枠は、木製の型枠に比べ重量があるとの課題があるが、本発明により当該課題の解決も図ることができた。
【先行技術文献】
【特許文献】
【０００８】
【特許文献１】特開２００６−１２５１４５号公報
【発明の概要】
【発明が解決しようとする課題】
【０００９】
かくして、本発明は前記従来からの課題を解決するために創案されたもので、木製よりも耐久性が高く、また、コンクリート打設後の型枠脱型が不要でそのまま埋め殺しにでき、さらに、枠体を分割した形状の型枠ユニットをあらかじめ工場で製造し、柱の敷設現場で型枠を形成することができるため、重量のあるコンクリート製型枠の運搬を容易にし、安全かつコストを安価にすることができるコンクリート製基礎用埋め殺し型枠及び該コンクリート製基礎用埋め殺し型枠を用いた柱の敷設方法を提供することを目的とするものである。
【課題を解決するための手段】
【００１０】
本発明によるコンクリート製基礎用埋め殺し型枠及び該コンクリート製基礎用埋め殺し型枠を用いた柱の敷設方法は、
水平面とされた敷設箇所に角筒状に立設される基礎用型枠であり、
該基礎用型枠は、略長方形状をなすコンクリート基板と、該コンクリート基板の両端側から略直角方向に折曲したコンクリート側板とを有して略コ字状に形成された一対の型枠ユニットを有してなり、該一対の型枠ユニットにつき、コ字状の先端部を各々突き合わせ接続して略正方形状の第1枠体を形成し、
前記第1枠体の上部には、該第1枠体と同様に構成された第２枠体を積み重ね、
前記第１枠体と第２枠体とにより角筒状をなす埋め殺し基礎用型枠を形成した、
ことを特徴とし、
または、
前記枠体の積み重ねは、２段以上の複数段とする、
ことを特徴とし、
または、
前記枠体の積み重ねは、枠体の接続部分が重ならないよう、前記突き合わせ接続箇所を略９０度ずらして積み重ねた、
ことを特徴とし、
または、
あらかじめ製造された、長方形状をなすコンクリート基板と、該コンクリート基板の両端側から略直角方向に折曲したコンクリート側板とを有して略コ字状に形成された型枠ユニット複数個を、柱の敷設現場に運搬し、
前記敷設現場における水平面とされた敷設箇所に、前記型枠ユニットを一対にしてコ字状の先端部を各々突き合わせ接続して略正方形状の第1枠体を形成し、
前記第1枠体の上部には、該第1枠体と同様に構成された第２枠体を積み重ねて、前記第１枠体と第２枠体とにより角筒状をなすコンクリート製基礎用埋め殺し型枠を形成し、
前記埋め殺し基礎用型枠内に、土留め用スパイラルダクトを入れるための掘削を行い、該土留め用スパイラルダクト用の掘削孔に土留め用スパイラルダクトを設置し、次いで内枠用スパイラルダクトを入れるための掘削を前記土留め用スパイラルダクトの掘削位置よりさらに下方方向へ、前記土留め用スパイラルダクトの掘削径よりも小径の掘削を行い、該内枠用スパイラルダクト用の掘削孔に内枠用スパイラルダクトを設置し、
生コンクリートを打設後、柱を健植して、前記内枠用スパイラルダクト、前記土留め用スパイラルダクト及び前記コンクリート製基礎用埋め殺し型枠を埋め殺した、
ことを特徴とし、
または、
前記枠体の積み重ねは、２段以上の複数段とする、
ことを特徴とし、
または、
前記枠体の積み重ねは、枠体の接続部分が重ならないよう、前記突き合わせ接続箇所を略９０度ずらして積み重ねた、
ことを特徴とし、
または、
前記枠体の形成は、
突き合わされた各々の型枠ユニットのコ字状両先端部側面に設けられた接続ボルト用孔同士を、コ字状接続ボルトを嵌め込んで接続し、形成した、
ことを特徴とし、
または、
前記コ字状接続ボルトは、先端部が前記枠体の外側に突出するよう嵌め込まれた、
ことを特徴とし、
または、
前記枠体の積み重ねは、下に位置する枠体と上に位置する枠体の中央境目部分に、下に位置する枠体と上に位置する枠体とを固定する断面がH状の長方形状接続金具を設け、前記枠体同士のズレを防止した、
ことを特徴とし、
または、
前記型枠ユニットにおける両コンクリート側板の前記コンクリート基板側には、複数箇所において運搬治具接続孔が設けられており、
前記枠体の形成は、前記両コンクリート側板の運搬治具接続孔に、コ字状運搬治具を嵌め込んで、人力で枠体ユニットを運搬して形成された、
ことを特徴とするものである。
【発明の効果】
【００１１】
本発明によるコンクリート製基礎用埋め殺し型枠及び該コンクリート製基礎用埋め殺し型枠を用いた柱の敷設方法であれば、木製よりも耐久性が高く、また、コンクリート打設後の型枠脱型が不要でそのまま埋め殺しにでき、さらに、枠体を分割した形状の型枠ユニットをあらかじめ工場で製造し、柱の敷設現場で型枠を形成することができるため、重量のあるコンクリート製型枠の運搬を容易にし、安全かつコストを安価にすることが出来るとの優れた効果を奏する。
【図面の簡単な説明】
【００１２】
【図１】コンクリート製基礎用埋め殺し型枠の構成を説明する構成説明図（１）である。
【図２】コンクリート製基礎用埋め殺し型枠の構成を説明する構成説明図（２）である。
【図３】コンクリート製基礎用埋め殺し型枠の構成を説明する構成説明図（３）である。
【図４】コンクリート製基礎用埋め殺し型枠の構成を説明する構成説明図（４）である。
【図５】本発明の実施例の構成を説明する説明図（１）である。
【図６】本発明の実施例の構成を説明する説明図（２）である。
【図７】本発明の実施例の構成を説明する説明図（３）である。
【発明を実施するための形態】
【００１３】
以下、本発明の実施例を図に基づいて説明する。
【００１４】
図７に示すように、本発明は、例えば電化工事を行う鉄道の脇の電柱等の敷設箇所１６に適用される。
【００１５】
具体的には、電柱等の敷設箇所となる基礎の形成に際し、その箇所に例えば、略正方形状のつば部を形成し、該底面が水平面とされて掘削されたつば部箇所に、いわゆる基礎用型枠が角筒状に立設されて適用されることになる。
【００１６】
本発明は、コンクリート打設後の脱型が不要な埋め殺しタイプの基礎用型枠８を使用するものであり、該型枠は、図１に示すように、長方形状をなすコンクリート基板１と、該コンクリート基板１の両端側から略直角方向に折曲したコンクリート側板２、２とを有して略コ字状に形成された型枠ユニット３が基本部材となる。
【００１７】
なお、前記型枠ユニット３は、あらかじめ工場で大量に製造されるものが使用できる。
【００１８】
図２に示すように、前記型枠ユニット３・・・を２個で一対とし、それぞれの型枠ユニット３、３のコ字状先端部を各々突き合わせて接続することにより、略正方形状の第1枠体４ａが形成される。
【００１９】
なお、図１の（Ｂ）及び図２に示すように、前記型枠ユニット３のコ字状両先端部側面には、接続ボルト用孔５が設けられている。したがって、前記枠体４は、一対の突き合わされた型枠ユニット３、３の接続ボルト用孔５、５同士にコ字状接続ボルト６を嵌め込こみ、前記一対の型枠ユニット３、３を接続することで形成される。
【００２０】
次いで、形成された第1枠体４ａの上部には、該第1枠体４ａと同様に一対の型枠ユニット３、３を接続して構成された第２枠体４ｂを積み重ねる。
【００２１】
なお、図３に示すように、下に位置する第１枠体４ａと上に位置する第２枠体４ｂの中央境目の接続金具取付位置に、第１枠体４ａと第２枠体４ｂとを固定する、断面がH状の長方形状接続金具７を取り付け、枠体４・・・同士のズレを防止する。
【００２２】
すなわち、図４から理解できるとおり、前記H状長方形状接続金具７は、断面がH状となっており、上側と下側はそれぞれ凹状の溝部分が形成されている。
【００２３】
該H状長方形状金具7の下側の凹状溝部分を第１枠体４ａの長手方向中央上端部の接続金具取付位置に嵌め込み、H状長方形状接続金具７の上側の凹状溝部分に第２枠体４ｂの長手方向中央下端部の接続金具取付位置が嵌るよう、第２枠体４ｂを第１枠体４ａに載置する。これにより、第１枠体４ａと第２枠体４ｂとが固定され、枠体４同士のズレを防止することができるのである。
【００２４】
以上の通り、本発明であるコンクリート製基礎用埋め殺し型枠８は、例えば、前記第１枠体４ａと第２枠体４ｂとを積み重ねることにより角筒状をなして形成される。
【００２５】
そして、このコンクリート製基礎用埋め殺し型枠８は、基礎を形成すべく行われるコンクリート打設から、電柱等の柱の建植を行うまでの間、土留めの役割を果たし、コンクリート打設を行い基礎の工事が終了した後には、脱型することなく、そのまま埋め殺すものとなる。
【００２６】
なお、本発明は、前記第１枠体４ａ及び第２枠体４ｂのみならず複数の枠体４・・・から形成することも可能で、２段以上の複数段でコンクリート製基礎用埋め殺し型枠８を形成することもできる。
【００２７】
例えば、下２段を基礎形成用のつば部用とし、上２段を大量に発生した盛り土の土留め用として、計４段とすることも考えられる。
【００２８】
次に、前記コンクリート製基礎用埋め殺し型枠８を用いた柱の敷設方法について説明する。
【００２９】
あらかじめ工場で製造された、長方形状をなすコンクリート基板１と、該コンクリート基板の両端側から略直角方向に折曲したコンクリート側板２、２とを有して略コ字状に形成された型枠ユニット３・・・を複数個用意し、この用意した複数個の型枠ユニット３・・・を柱の敷設現場などにトラック等運搬車両にて運搬する。
【００３０】
前記敷設現場においては、基礎形成箇所となるエリアに、いわゆるつば部用の凹部が掘削され、底面が水平面となる掘削凹部が形成されている。
【００３１】
そして、該掘削箇所に、前記型枠ユニット３を一対用意し、これのコ字状の先端部を各々突き合わせ接続し、略正方形状の第１枠体４ａを形成する。
【００３２】
前記第１枠体４ａの上部には、該第１枠体４ａと同様に構成された第２枠体４ｂを積み重ねて、前記第１枠体４ａと第２枠体４ｂとにより角筒状をなすコンクリート製基礎用埋め殺し型枠８とする。
【００３３】
ここで、本発明においてコンクリート製の基礎用埋め殺し型枠８を用いるのは、従来の木製の型枠より格段に耐久性が高く、またコンクリート打設後の型枠脱型が不要でそのまま埋め殺しにできるためである。
【００３４】
しかしながら、コンクリート製の基礎用型枠は、木製の型枠に比べ重量がある。
【００３５】
そこで、工場では前記枠体４自体を製造し、運搬するのではなく、枠体４を分割した形状の型枠ユニット３を製造し、これらを嵩張らない状態にして運搬し、その後、柱等の敷設現場で前記型枠ユニット３・・・を組み立て、枠体４を形成するのである。
【００３６】
よって、工場から敷設現場までのトラック等による運搬、また、トラック等から敷設箇所までの運搬がきわめて容易となった。
【００３７】
すなわち、図１及び図２から理解されるように、型枠ユニット３における前記両コンクリート側板２、２の前記コンクリート基板１側には、複数箇所において運搬治具接続孔９が設けられており、該両コンクリート側板２の運搬治具接続孔９に、コ字状運搬治具を嵌め込むと、両側から該運搬治具を把持して、人力運搬が可能となる。
【００３８】
本発明における実施例では、例えば、型枠ユニット３一つの重さは約５８ｋｇであるため、２人の人力で容易に運搬できる重さとなっている。そして、敷設現場において前記型枠ユニット３を組み立て、枠体４を形成するのである。
【００３９】
なお、前記運搬治具接続孔９は、実施例では、図１等に示すおとり、前記コンクリート側板２に、コンクリート基板１側に３つ、該コンクリート側板の長手方向中央からややコンクリート基板側に１つ、計４つ設けられている。
【００４０】
このように複数個の運搬治具接続孔９を設けて、前記コ字状運搬治具の取付位置を運搬状況に合わせて選択できるようにしたことで、型枠ユニット３の運搬をしやすくした。
【００４１】
さらに、図１乃至図３等から理解できるとおり、型枠ユニット３のコンクリート基板１及びコンクリート側板２、２の内側に、複数箇所において略長方形状の凹状部１０を設けることで、型枠ユニット３の軽量化を図っている。
【００４２】
また、図１の（Ｂ）及び図２に示すように、前記型枠ユニット３のコ字状両先端部側面には、接続ボルト用孔５が設けられており、前記枠体４は、一対の突き合わされた型枠ユニット３、３の接続ボルト用孔５、５同士にコ字状接続ボルト６を嵌め込こむことにより一対の型枠ユニット３、３を接続し、形成される。
【００４３】
ここで、前記コ字状接続ボルト６は、先端部が前記枠体４の外側に突出するよう嵌め込むことが好ましい。図２から理解できるとおり、枠体４から突出する該コ字状接続ボルト６の先端を外向きとすることで、掘削時の障害にならないからである。
【００４４】
また、下に位置する第１枠体４ａと上に位置する第２枠体４ｂの中央境目部分の接続金具取付位置に、第１枠体４ａと第２枠体４ｂとを固定する、断面がH状の長方形状接続金具７を取り付け、枠体４同士のズレを防止する。
【００４５】
すなわち、図４から理解できるとおり、前記H状長方形状接続金具７は、断面がH状となっており、上側と下側はそれぞれ凹状の溝部分が形成されている。
【００４６】
該H状長方形状金具7の下側の凹状溝部分を第１枠体４ａの長手方向中央上端部の接続金具取付位置に嵌め込み、H状長方形状接続金具７の上側の凹状溝部分に第２枠体４ｂの長手方向中央下端部の接続金具取付位置が嵌るよう、第２枠体４ｂを第１枠体４ａに載置する。これにより、第１枠体４ａと第２枠体４ｂとが固定され、枠体４同士のズレを防止することができる。
【００４７】
なお、前記第１枠体４ａ及び第２枠体４ｂのみならず、複数の枠体４・・・とすることも可能であり、よって、前述したコンクリート製基礎用埋め殺し型枠8を２段以上の複数段とすることもできる。
【００４８】
前述したように、例えば、下２段を基礎のつば部用とし、上二段を大量に発生した盛り土の土留め用として、計４段とすることが考えられる。
【００４９】
次いで、前記形成したコンクリート製基礎用埋め殺し型枠８内に、土留め用スパイラルダクトを入れるため、つば部分から所定の深さ、例えばつば部分底面から例えば深さ１．５ｍ以下の範囲で掘削を行う。
【００５０】
そして、該土留め用スパイラルダクト用の掘削孔に土留め用スパイラルダクト１１を設置し、さらに内枠用スパイラルダクトを入れるための掘削を前記土留め用スパイラルダクトの掘削位置よりさらに下方方向へ、前記土留め用スパイラルダクトの掘削径よりも小径の掘削を行う。その後、該内枠用スパイラルダクト用の掘削孔に内枠用スパイラルダクト１２を設置する。
【００５１】
その後、基礎形成のためのコンクリートの打設まで、長期にわたって前記コンクリート製基礎用型枠８が敷設状態とされている場合でも、本発明におけるコンクリート製基礎用埋め殺し型枠８によれば、従来の木製型枠の場合に比べ格段に耐久性が高いため、盛り土が多い箇所や狭隘な箇所等、施工環境の厳しい敷設箇所であっても、長期の敷設状態において土留めの役割を果たすことができる。
【００５２】
次いで、生コンクリートを打設後、柱１３を建植する。前記内枠用スパイラルダクト１２、前記土留め用スパイラルダクト１３及び前記コンクリート製基礎用埋め殺し型枠８は埋め殺しとする。
【００５３】
すなわち、図６に示すように、前記内枠用スパイラルダクト１２内にコンクリート１３を打設した後、電柱等の柱１４を建植する。その後、前記土留め用スパイラルダクト１１及び前記コンクリート製基礎用埋め殺し型枠８を脱型することなく、コンクリート１３を打設して一体化させる。
【００５４】
そして、土留めの役割を果たしていた前記コンクリート製基礎用埋め殺し型枠８の外側は、該型枠全体が埋まるよう通常通り土を整備しても構わない。
【００５５】
したがって、本発明では完全に埋め殺すことができるため、木製型枠の場合のように脱型をする必要がなく、施工手間が省け、よってコスト削減に寄与するとの効果をも発揮する。
【符号の説明】
【００５６】
１    コンクリート基板
２   コンクリート側板
３    型枠ユニット
４   枠体
４ａ  第１枠体
４ｂ  第２枠体
５   接続ボルト用孔
６   コ字状接続ボルト
７   Ｈ状長方形状接続金具
８   コンクリート製基礎用埋め殺し型枠
９    運搬治具接続孔
１０  凹状部
１１ 土留め用スパイラルダクト
１２ 内枠用スパイラルダクト
１３  コンクリート
１４  柱
１５  線路
１６  柱等敷設箇所
【図１】
2015045140.tif 000003
【図２】
2015045140.tif 000004
【図３】
2015045140.tif 000005
【図４】
2015045140.tif 000006
【図５】
2015045140.tif 000007
【図６】
2015045140.tif 000008
【図７】
2015045140.tif 000009